【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
シールドハウジングと、
電解液を含み、前記シールドハウジング内に含まれる液剤と、
前記シールドハウジング内に固着されるインストレーションモジュールと、
対流加速度計に加えられる加速度に起因する強制対流の条件下で前記液剤が検知素子を介して流れるように、前記インストレーションモジュールに固定され、前記液剤中に浸される、対流に敏感な検知素子と、
前記検知素子に接続され、前記検知素子によって生成される出力信号を増幅し処理する電気回路とを備える対流加速度計。
【請求項２】
検知素子が、
少なくとも２つの導電部材と、
前記導電部材を分離する誘電体材料を含むスペーサとを備え、
前記スペーサ及び前記導電部材が、液剤が前記検知素子を介して流れるように配置される、請求項１に記載の対流加速度計。
【請求項３】
導電部材及びスペーサが、加速度計が加速度を感知するときに液剤が流れる穴を備える、請求項２に記載の対流加速度計。
【請求項４】
スペーサと導電部材との間にギャップなしに、スペーサが前記導電部材間に配置される、請求項２又は３に記載の対流加速度計。
【請求項５】
導電部材が、実質上互いに平行で、液剤の流れの方向に対して実質上垂直な金属板である、請求項２〜４のいずれか記載の対流加速度計。
【請求項６】
スペーサの厚さが、約０．５から約１５０ミクロンの範囲内である、請求項２〜５のいずれかに記載の対流加速度計。
【請求項７】
スペーサの少なくとも１つの穴が円形である、請求項３〜６のいずれかに記載の対流加速度計。
【請求項８】
スペーサの少なくとも１つの穴の直径が、約１から約３００ミクロンの範囲内である、請求項７に記載の対流加速度計。
【請求項９】
スペーサが、周期表のグループIVの元素の酸化物又はフッ化物を含む、請求項２〜７のいずれかに記載の対流加速度計。
【請求項１０】
少なくとも２つのガード電極をさらに備え、検知素子が前記ガード電極間に配置される、請求項１〜９のいずれかに記載の対流加速度計。
【請求項１１】
検知素子とガード電極の最外部の導電部材間の距離が、約５から約１２０ミクロンである、請求項１０に記載の対流加速度計。
【請求項１２】
少なくとも１つのガード電極がメッシュを備える、請求項１０又は１１に記載の対流加速度計。
【請求項１３】
少なくとも１つのガード電極が、平坦ならせんに巻かれた金属ワイヤを備える、請求項１０〜１２のいずれかに記載の対流加速度計。
【請求項１４】
少なくとも１つのガード電極が、円錐形のらせんに巻かれた金属ワイヤを備える、請求項１０〜１２のいずれかに記載の対流加速度計。
【請求項１５】
２つのガード電極が、導電性素子によって相互接続される、請求項１０〜１４のいずれかに記載の対流加速度計。
【請求項１６】
導電部材のうちの少なくとも１つが導電性のメッシュを備える、請求項２〜１５のいずれかに記載の対流加速度計。
【請求項１７】
メッシュが、直径が約１０から約９０ミクロンの金属ワイヤを備える、請求項１６に記載の対流加速度計。
【請求項１８】
メッシュが、実質平行で、約２０から約９０ミクロンの間隔で均等に分離される複数の金属ワイヤを備える、請求項１６又は１７に記載の対流加速度計。
【請求項１９】
メッシュが、白金グループの金属を含む、請求項１６〜１８のいずれかに記載の対流加速度計。
【請求項２０】
電気回路が、
正極及び負極を備え、正極が、演算増幅器を介して直接又は間接的に第１の導電部材に接続され、負極が、演算増幅器を介して直接又は間接的に第２の導電部材に接続されるように、前記導電部材に接続される電源と、
２つの入力及び１つの出力を備え、１つの入力が、前記第１又は第２いずれかの導電部材に接続され、他方の入力が、前記導電部材から集められる電流を電圧に変換するために、前記正極又は負極に接続され、演算増幅器の出力が、前記電気回路全体の出力である演算増幅器とを備える、請求項１〜１９のいずれかに記載の対流加速度計。
【請求項２１】
液剤が、塩とルイス酸及びルイス塩基の両方の役割を果たすことができる溶質を含む電解液とを含む、請求項１〜２０のいずれかに記載の対流加速度計。
【請求項２２】
塩が、アルカリ金属塩又はアルカリ土類金属塩である、請求項２１に記載の対流加速度計。
【請求項２３】
溶質が、溶解した金属ヨウ素を含む、請求項２１又は２２に記載の対流加速度計。
【請求項２４】
電解液が、溶媒としての蒸溜水を含む、請求項２１〜２３のいずれかに記載の対流加速度計。
【請求項２５】
電解液が、溶媒としての有機液体を含む、請求項２１〜２３のいずれかに記載の対流加速度計。
【請求項２６】
金属塩の濃度が、約０．５から約４モル／リットルの範囲にある、請求項２２〜２５のいずれかに記載の対流加速度計。
【請求項２７】
金属ヨウ素の濃度が、約０．０００２から約０．４モル／リットルの範囲にある、請求項２３に記載の対流加速度計。
【請求項２８】
シールドハウジングと、
電解液を含み、前記シールドハウジング内に含まれる液剤と、
前記ハウジング内に固着され、対流の結果として前記液剤が流れるときに出力信号を生成する検知素子を備えるインストレーションモジュールとを備える対流加速度計であって、
前記検知素子が、
せん孔を有する複数の対の金属板と、
せん孔を有し、各々の金属板をギャップなしに分離するよう配置される複数の誘電体スペーサと、
前記検知素子に接続され、前記検知素子によって生成される前記出力信号を増幅し処理するように配置される電気回路とを備える、対流加速度計。
【請求項２９】
検知素子が、実質上平行に配置され、２枚の外部金属板及び２枚の内部金属板になるように誘電体スペーサによって分離される４枚の金属板を備える対流加速度計であって、電気回路が、
電源の正極が、直接に又は演算増幅器を介して間接的に前記外部金属板に接続され、電源の負極が前記内部金属板に接続されるように前記金属板に接続される電源と、
各増幅器の第１の入力が異なる内部金属板に接続され、各増幅器の第２の入力が接地される、少なくとも２つの演算増幅器と、
２つの入力及び１つの出力を有する加算器であって、前記加算器の出力から集められた電圧が加えられた加速度の値に正比例するように前記加算器の前記入力は互いに異なる演算増幅器の出力に接続される加算器とを備える、請求項２８に記載の対流加速度計。
【請求項３０】
電気回路が、温度補正を実行するように適合され加算器の入力に接続される第１の電子素子を備える、請求項２９に記載の対流加速度計。
【請求項３１】
電気回路が、第１の電子素子に直列に接続され、加速度計の伝達関数の周波数依存度を訂正するように適合される第２の電子素子をさらに備える、請求項３０に記載の対流加速度計。
【請求項３２】
シールドハウジングが、
液剤を含み、内部及び外部に生成する形状によって画定される形状を有する環状チャネルと、
前記環状チャネルに液体を用いて接続され、温度変化に伴う前記環状チャネル内の前記液剤の膨張を補うように適合される拡張容積と、
前記拡張容積と液体で連通し、前記液剤を前記環状チャネルに入れるように適合されるダクトとを備える、請求項２８〜３１のいずれかに記載の対流加速度計。
【請求項３３】
外部及び内部に生成する形状が、各中心が約０．１から約５ｍｍ離れている円である、請求項３２に記載の対流加速度計。
【請求項３４】
外部及び内部に生成する形状が、互いに異なり、水力学的インピーダンスを制御するように選択される、請求項３２に記載の対流加速度計。
【請求項３５】
外部及び内部に生成する形状が、各中心が約０．１から約５ｍｍ離れている、請求項３２に記載の対流加速度計。
【請求項３６】
環状チャネルは、前記環状チャネルの壁に取り付けられた少なくとも１つの口金を有し、前記口金は、前記環状チャネルの断面積を局所的に狭くすることにより、液剤の動きに追加の水力学的インピーダンスを生成するように適合される、請求項３２〜３５のいずれかに記載の対流加速度計。
【請求項３７】
シールドハウジングが、第１のインストレーションモジュールの正反対の位置に配置される追加のインストレーションモジュールを備え、前記追加のインストレーションモジュールは、回路に接続される検知素子を備える、請求項３２に記載の対流加速度計。
【請求項３８】
シールドハウジングが、複数の対のインストレーションモジュールを備え、
１対のインストレーションモジュールの各部材は、環状チャネル上の対の他方の部材と正反対の位置に配置され、
前記インストレーションモジュールは、均等に相隔てられ、
各インストレーションモジュールは、回路に接続される検知素子を備える、請求項３２に記載の対流加速度計。
【請求項３９】
検知素子が、金属板の第１の対、及び任意で金属板の第２の対を備え、前記金属板が回路に接続される、請求項３２〜３８のいずれかに記載の対流加速度計。
【請求項４０】
検知素子が、金属板の第１の対、及び任意で金属板の第２の対を備え、前記金属板が回路に接続される、請求項３６に記載の対流加速度計。
【請求項４１】
請求項３２に記載の加速度計を設けるステップと、
環状チャネルの平面と垂直な前記加速度計の感度の軸線の周りで加速度計を回転させることにより、又は重力の方向に応じた角度に加速度計を傾け液剤の強制対流を起こすことにより、前記加速度計を角加速度にさらすステップと、
検知素子に接続される電気回路を使用して、前記検知素子からの出力電流における変化を測定することにより、ハウジングの角加速度又は傾斜角の値を決定するステップとを含む、角加速度及び／又は傾斜角の測定方法。
【請求項４２】
電気回路が、
各々の演算増幅器は金属板の１つの対に関連し、各々の演算増幅器が２つの入力及び１つの出力を有する、複数の演算増幅器と、
電源の正極と板の各対における第１の板との間の、直接又は間接的電気接続と、
前記電源の負極と板の各対における第２の板との間の、直接又は間接的電気接続とを備え、
前記間接的接続が、演算増幅器と、
演算増幅器の第１の入力と、板の前記対の前記第１又は第２の板のいずれかとの間の直接的電気接続であって、演算増幅器の第２の入力は、同様に前記電源の前記正極又は負極に接続される接続と、
入力及び出力を有する加算器であって、前記加算器の出力から集められた電圧は前記演算増幅器から集められた電圧の１次結合であり、加えられた加速度の値に正比例するように、前記加算器の各入力が各演算増幅器の出力に接続される加算器とを介して行われる、請求項２８に記載の対流加速度計。
【請求項４３】
チャネルを備えるシールドハウジングと、
電解液を含み、前記チャネルを部分的に満たす液剤と、
前記液剤中に浸されるように前記シールドハウジングに固着されたインストレーションモジュールと、
対流に敏感で、対流加速度計に加えられる直線加速度に起因する強制対流の条件下で検知素子を介して前記液剤が流れるように、前記インストレーションモジュールに固定され、前記液剤に浸される前記検知素子と、
前記検知素子に接続され、前記検知素子によって生成される出力信号を増幅し処理する電気回路とを備える、直線加速度計。
【請求項４４】
チャネルが環状である、請求項４３に記載の直線加速度計。
【請求項４５】
チャネルが、液剤で半分満たされている、請求項４３又は４４に記載の直線加速度計。